(57)【要約】【課題】キーコードの設定変更が簡単かつ迅速に行なえる可変式シリンダー錠を提供する。【解決手段】外筒の内周面にはキー挿入溝と連通する第１通し溝及び第２通し溝が形成され、第１通し溝は常用キーとチェンジキーの各背部が嵌合されるように幅広に設けられ、第２通し溝はチェンジキーの背部のみが嵌合されるように幅狭に設けられる。相連通する内筒及び外筒の少なくとも一組のピン孔にはボトムピン、チェンジピン、ドライバーピン及びスプリングよりなるピン群が収容され、残余の組のピン孔にはボトムピン、ドライバーピン及びスプリングよりなる他のピン群が収容される。キーの挿入末端域においてキーが内筒の中心軸線と平行移動して、キーの背部が第１通し溝から脱出してキー挿入溝に入り込み、キーのキーコード用凹凸部によってボトムピンが押される。【選択図】    図１５
2004232299.tif 000002
【特許請求の範囲】
【請求項１】
前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなる可変式シリンダー錠であって、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹凸部によって前記ボトムピンが押されるようにした可変式シリンダー錠。
【請求項２】
前記常用キーとチェンジキーの腹部にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカム体が設けられており、前記ガイド溝の基端部には下がり勾配の傾斜溝部が前記傾斜カム面と平行に形成されていることを特徴とする請求項１に記載の可変式シリンダー錠。
【請求項３】
前記内筒の前記キー挿入溝の入り口部には前記ボトムピンの内端部を隠蔽する延長壁部が形成されており、前記常用キーとチェンジキーの各基端部には前記ガイド溝の前記傾斜溝部と平行に前記延長壁部用の逃げ凹部が形成されていることを特徴とする請求項１または請求項２に記載の可変式シリンダー錠。
【請求項４】
前記内筒の前端部外周に形成した外向きフランジ部によって前記第２通し溝の前端開口が隠蔽されることを特徴とする請求項１、請求項２または請求項３に記載の可変式シリンダー錠。
【発明の詳細な説明】
【０００１】
【発明の属する技術分野】本発明は、外筒に対して内筒を回動可能または回動不能にする常用キーのキーコードが必要に応じて設定変更できるピンタンブラ方式の可変式シリンダー錠の改良に関する。
【０００２】
【従来の技術】従来のピンタンブラ方式の可変式シリンダー錠は、前後方向に嵌合孔が形成された外筒と、該嵌合孔に回動可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にするキーとからなり、
前記外筒と内筒の複数個のピン孔は前後方向に整列して複数列に配置されており、外筒の前記嵌合孔の内周面には、内筒を回動させたとき内筒の前記キー挿入溝と連通する第１通し溝及び第２通し溝が前後方向に同等幅に形成されており、
内筒を回動させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記キーを内筒の前記キー挿入溝に所定深さまで挿入するとき、挿入末端域においてキーが内筒の中心軸線と平行に移動してキーの背部が前記第１通し溝から脱出してキー挿入溝に入り込み、キーのキーコード用凹凸部によって前記ボトムピンが押されるように構成されている（特開２００２−４６５７号公報参照）。
【０００３】
この可変式シリンダー錠では、キーコードの設定変更を終了した後、前記キーは背部を前記第２通し溝に嵌合された状態で内筒のキー挿入溝から抜き取られる一方、外筒に対して内筒を回転可能（解錠状態）から回転不能（施錠状態）に設定した後、前記キーは背部を前記第１通し溝に嵌合された状態で内筒のキー挿入溝から抜き取られるのであるが、前記第１通し溝と第２通し溝の幅寸法が同等に形成されているため、解施錠における内筒の回転域とキーコード設定変更における内筒の回転域は峻別されている。すなわち、解施錠における内筒の回転方向を時計回り方向とすれば、キーコード設定変更における内筒の回転方向は反時計回り方向に規定されている。
【０００４】
扉等の開閉体をボックス本体等の固定枠体に対して錠止する通常の使用形態では、固定枠体側に設置した受金体と係脱する止め金板が内筒の先端軸部に嵌合され、ボルトまたはナットによって内筒に締付け固着されており、解施錠における止め金板の回転方向と回転角度は、内筒の軸部に嵌合された規制円盤が外筒側の規制溝の端面壁に係脱することによって規制されている。
そのため、キーコードの設定変更を実行したいときには、前記ボルト・ナットによる締付け固着を解除して、前記規制円盤と止め金板を内筒の軸部から一旦取外し、キーコードの設定変更を終了した後、規制円盤と止め金板を内筒の前記軸部に再度嵌め合わせ、ボルト・ナットによって締付け固着し直さなければならす、この作業手間が煩雑であった。
【０００５】
また、前記可変式シリンダー錠では、前記キーの主体部分の横断面における縦寸法は、キー挿入溝の横断面における縦寸法と合致しているのであるが、キーの挿入当初から挿入末端域に近づくまでの間においては、キーの主端部分は前記キー挿入溝と前記第１通し溝にまたがって挿入される。そのため、第１通し溝の横断面における縦寸法が余剰寸法として存在することになり、キーの挿入過程においてキーの主体部分が内筒の中心軸線に対して振れる余地を与えることになる。この振れが大きいときには、キーの先端がボトムピンの内端部に突き当たってキーの以後の挿入が阻止されてしまい、キーの挿入をやり直さなければならなかった。あるいは、錠機構が故障したものと誤認され、錠の製造・販売元に補修交換が求められることにもなった。
【０００６】
可変式シリンダー錠を含めてピンタンブラー方式のシリンダー錠では、内筒の前記キー挿入溝を正面側から見たとき、ボトムピンの内側端部がキー挿入溝に現れているため、ピッキング用具による抉じ開けに対して弱いという難点があった。
【０００７】
【特許文献１】特開２００２−４６５７号公報
【０００８】
【発明が解決しようとする課題】したがって本発明の目的は、解施錠における内筒の回転域とキーコード設定変更における内筒の回転域が同じであるため、規制円盤や止め金板を着脱するという余分の手間を必要とせずに、キーコードの設定変更が簡単かつ迅速に行なえる可変式シリンダー錠を提供することである。
本発明の別の目的は、キーの挿入が振れを伴なわずに円滑に行われるため、錠機構の故障と誤認される恐れがなく、作動の安定性に優れた可変式シリンダー錠を提供することである。
本発明の更に別の目的は、ボトムピンの内端部が隠蔽されるため、キー挿入溝の正面側からのピッキング操作が容易でなく、セキュリティにおいて改善された可変式シリンダー錠を提供することである。
【０００９】
【課題を解決するための手段】前記目的を達成するために、請求項１の発明にあっては、可変式シリンダー錠は、前後方向に嵌合孔が形成された外筒と、該嵌合孔に回転可能かつ軸方向に移動不能に嵌合される内筒と、該外筒と内筒に半径方向に形成された複数個のピン孔間を出入りするピン群と、該内筒の前後方向のキー挿入溝に挿入され、前記ピン群を移動させて内筒を外筒に対して回転可能または回転不能にする常用キーと、前記キー挿入溝に挿入され、キーコードを設定変更するチェンジキーとからなり、
前記外筒と内筒の複数個のピン孔は前後方向に整列して複数列に配置されており、外筒の前記嵌合孔の内周面には、内筒を回転させたとき内筒の前記キー挿入溝と連通する第１通し溝及び第２通し溝が前後方向に形成されており、第１通し溝は前記常用キーとチェンジキーの各背部が嵌合されるように幅広に設けられている一方、第２通し溝は前記チェンジキーの背部のみが嵌合されるように幅狭に設けられており、
内筒を回転させたとき相連通する内筒及び外筒の少なくとも一組の前記ピン孔にはボトムピン、チェンジピン、ドライバーピン及びスプリングよりなるピン群が収容される一方、残余の組の前記ピン孔にはボトムピン、ドライバーピン及びスプリングよりなる他のピン群が収容されており、
前記常用キーまたはチェンジキーを内筒の前記キー挿入溝に所定深さまで挿入するとき、挿入末端域において常用キーまたはチェンジキーが内筒の中心軸線と平行に移動して常用キーの背部またはチェンジキーの背部が前記第１通し溝または第２通し溝から脱出してキー挿入溝に入り込み、常用キーまたはチェンジキーのキーコード用凹凸部によって前記ボトムピンが押される。
【００１０】
請求項２の発明にあっては、請求項１の発明の前記構成に加えて、前記常用キーとチェンジキーの腹部にはガイド溝が各キーの長さ方向に形成されており、前記内筒のキー挿入溝の入口部の内壁面には前記ガイド溝の先端側開口から前記ガイド溝に嵌合されるガイド突起が設けられており、前記内筒には前記キー挿入溝の奥端部に上向き勾配の傾斜カム面を有するカム体が設けられており、前記ガイド溝の基端部には下がり勾配の傾斜溝部が前記傾斜カム面と平行に形成されている。
請求項３の発明にあっては、請求項１または請求項２の発明の前記構成に加えて、前記内筒の前記キー挿入溝の入り口部には前記ボトムピンの内端部を隠蔽する延長壁部が形成されており、前記常用キーとチェンジキーの各基端部には前記ガイド溝の前記傾斜溝部と平行に前記延長壁部用の逃げ凹部が形成されている。
請求項４の発明にあっては、請求項１、請求項２または請求項３の発明の前記構成に加えて、前記内筒の前端部外周に形成した外向きフランジ部によって前記第２通し溝の前端開口が隠蔽される。
【００１１】
【発明の実施の形態】本発明の実施の形態を図面に基づいて以下詳細に説明する。
本発明の一例の可変式シリンダー錠１は、外筒２、内筒３、二種類のピン群４、５及び孔閉塞板６を有している。
外筒２は図１及び図２に示したように側面部が平行面に形成された略円筒状本体２０を有し、該外筒本体２０の中心部に嵌合孔２１が形成されており、図１０に示したように外筒本体２０には外周面から嵌合孔２１に貫通して４組のピン孔２２，２３，２４，２５の列が半径方向に形成されている。
【００１２】
該ピン孔２２とピン孔２３の各孔列は各５個の等ピッチで整列したピン孔によって構成されており、該ピン孔２４とピン孔２５の各孔列は各６個の等ピッチで整列したピン孔によって構成されている。
外筒２の中心に対するピン孔２２とピン孔２３の配置角度は４５度であり、ピン孔２３とピン孔２４の配置角度は９０度であり、ピン孔２４とピン孔２５の配置角度は４５度である。前記各ピン孔の外端部には孔閉塞板６の嵌合溝２６が形成されている。
【００１３】
外筒２には嵌合孔２１の内面部に略方形断面の第１通し溝２７と第２通し溝２８が前後方向に形成されており、図１１に示したように第１通し溝２７と第２通し溝２８の前端は、嵌合孔２１の前端大径部２１ａに開口している。図１０に示したように第２通し溝２８は前記ピン孔２４の列に対面している。第１通し溝２７と第２通し溝２８の後端は、嵌合孔２１の後端大径部２１ｂに開口している。図１１に示したように嵌合孔２１の後端大径部２１ｂと嵌合孔本体部分との間には環状フランジ部２９が内向きに形成されている。
前記各ピン孔の個数及び角度間隔は図示のものに限定されず、各ピッチは必ずしも等ピッチでなくてもよい。
【００１４】
内筒３は図１及び図２に示したように略円筒状本体３０の前端に外向きフランジ部３１が形成され、外筒２の前記嵌合孔２１の本体部分に内筒本体３０が回転可能に嵌合され、嵌合孔２１の前端大径部２１ａに外向きフランジ部３１が回転可能に嵌合される。内筒３の後部の中径軸部３２に形成した環状溝３３には止めリング１１が嵌合され、該止めリング１１は外筒２の前記環状フランジ部２９の背面に当接することによって内筒３の軸方向への移動を阻止している。
外向きフランジ部３１には、正面側から見たときキーの抜き差し位置において外筒２の第１通し溝２７または第２通し溝２８と重なる位置に来るキー背部通過用溝３１ａが形成されている。
【００１５】
内筒本体３０には、図１０に示したように中央部にキー挿入溝３４が前後方向に形成され、キー挿入溝３４の両側に２組のピン孔３５，３６の列が半径方向に形成されている。該ピン孔３５の孔列は５個の等ピッチで整列したピン孔によって構成されており、該ピン孔３６の孔列は６個の等ピッチで整列したピン孔によって構成されている。内筒３の中心に対するピン孔３５とピン孔３６の配置角度は１３５度であり、ピン孔３６とキー挿入孔３４の配置角度は１３５度であり、キー挿入溝３４とピン孔３５の配置角度は９０度である。各ピン孔３５，３６の内側端部はボトムピンの落ち込み阻止のために狭隘部を介してキー挿入溝３４に開口している。
内筒本体３０の前面部には斜め下向きに延長壁部３０ａが形成されており、キー挿入溝３４の入り口部の上辺部付近を隠蔽している。
【００１６】
図２及び図１１に示したように内筒３がキーの抜き差し位置まで回転させられたとき、相連通する内筒３の各ピン孔３５と外筒２の各ピン孔２２には、ボトムピン５１、ドライバーピン５３及びスプリング５４よりなるピン群５が収容されている一方、相連通する内筒２の手前から２番目，３番目，５番目及び６番目の各ピン孔３６と外筒２の手前から２番目，３番目，５番目及び６番目の各ピン孔２４には、ボトムピン４１、チェンジピン４２，ドライバーピン４３及びスプリング４４よりなる別のピン群４が収容されている。また、相連通する内筒２の手前から１番目及び４番目の各ピン孔３６と外筒２の手前から１番目及び４番目の各ピン孔２４には、ボトムピン５１，ドライバーピン５３及びスプリング５４よりなる前記ピン群５が収容されている。
【００１７】
内筒３の外向きフランジ部３１の外側面に形成された横孔３７には、ピンよりなるガイド突起３８が挿し込み固着されており、ガイド突起３８の内端部はキー挿入溝３４の片側内壁面より突出している。キー挿入溝３４の奥端部には図１１に示したように略直角三角形板状のカム体７が密に嵌合されており、横断ピン７３によって内筒本体３０に固着されている。カム体７は上向き勾配の傾斜カム面７１を有しており、該傾斜カム面７１の上端には垂直停止面７２が形成されている。
内筒３の後端小径軸部３９には、公知手法にしたがって回転角度制御用の規制円盤と止め金板が相対回転不能に嵌合され、ナットによって締付け固着される。
【００１８】
図３及び図５に示したように常用キー８の主体部分は背部８１と腹部８２とからなり、背部８１は図１０に示したように外筒２の第１通し溝２７に嵌合される。腹部８２の片側の側面には断面矩形状のガイド溝８３が常用キー８の長さ方向に形成されている。背部８１と腹部８２の先端面は斜め下向きのカム斜面８４に形成されており、ガイド溝８３の先端は該カム斜面８４に開口している。ガイド溝８３の基端部には下がり勾配の傾斜溝部８５がカム斜面８４と平行に形成されている。
常用キー８の腹部８２には、図３及び図１０に示したように２列のキーコード用凹凸部８６，８７が１３５度の配置間隔で側面部とエッジ部に形成されている。腹部８２の根元部には、内筒３の前記延長壁部３０ａが入り込む逃げ用凹部８８を斜め下向きに形成してある。
【００１９】
図６及び図８に示したようにチェンジキー９の主体部分は背部９１と腹部９２とからなり、背部９１は図１４に示したように挿し込み時には外筒２の第１通し溝２７に嵌合され、抜き取り時には外筒２の第２通し溝２８に嵌合される。該背部９１は摘み部側の根元部分を除いて、腹部９２よりも肉薄に形成されている。該腹部９２の片側の側面には断面矩形状のガイド溝９３がチェンジキー９の長さ方向に形成されている。背部９１と腹部９２の先端面は斜め下向きのカム斜面９４に形成されており、ガイド溝９３の先端は該カム斜面９４に開口している。ガイド溝９３の基端部には下がり勾配の傾斜溝部９５がカム斜面９４と平行に形成されている。
チェンジキー９の腹部９２には、図６及び図１４に示したように２列のキーコード用凹凸部９６，９７が１３５度の配置間隔で側面部とエッジ部に形成されている。腹部９２の根元部には、内筒３の前記延長壁部３０ａが入り込む逃げ用凹部９８を斜め下向きに形成してある。
【００２０】
この実施態様の可変式シリンダー錠では、図１に示したように常用キー８を内筒３のキー挿入溝３４から抜き取った施錠状態では、図２に示したように各ピン群４のドライバーピン４３と各ピン群５のドライバーピン５３が、それぞれ外筒２のピン孔２２と内筒３のピン孔３５に跨って嵌合しているため、内筒３は外筒２に対して回転不能に拘束されている。このとき、外筒２のピン孔２３には別のドライバーピン４３の全体が嵌合しており、外筒のピン孔２５には別のドライバーピン５３の全体が嵌合している。
外向きフランジ部３１のキー背部通過用溝３１ａは正面側から見て外筒２の第１通し溝２７に重なる位置にあり、キー背部通過用溝３１ａは第１通し溝２７と相連通している。
【００２１】
常用キー８のガイド溝８３の先端開口を内筒３のガイド突起３８に合わせるとともに、常用キー８の背部８１を外向きフランジ部３１のキー背部通過用溝３１ａに合わせて、常用キー８を内筒３のキー挿入溝３５に差し込むと、ガイド突起３８とガイド溝８３の誘導作用によって常用キーの背部８１は第１通し溝２７の内底面に摺接した状態でキー挿入溝３４に挿入され、挿入過程において常用キー８が内筒３の中心軸線に対して振れたり揺らぐことがなく、一直線状に差し込まれる。そのため、常用キー８の先端がボトムピン４１，５１の内端部側面に突き当たって挿入が阻止されることがない。
【００２２】
図１６に示したように外筒２の第１通し溝２７及び内筒３のキー挿入溝３４に対する常用キー８の挿入が進行して、常用キー８のカム斜面８４が前記カム体７の傾斜カム面７１に突き当たったときには、ガイド突起３８はガイド溝８３の主体部分と傾斜溝部８５の交差部に来ている。この後、常用キー８を更に押し込むと、前記カム斜面８４と傾斜カム面７１の誘導作用及びガイド突起３８と傾斜溝部８５の誘導作用によって、常用キー８は内筒３の中心軸線と平行に移動して押し上げられる。
この押し上げ動作によって常用キー８の背部８１は外筒２の第１通し溝２７から脱出し、腹部８２と背部８１の全断面が内筒３のキー挿入溝３４内に入り込み、腹部８２のキーコード用凹凸部８６，８７が対応するピン群４，５のボトムピン４１，５１を押し上げる。
【００２３】
図９、図１０及び図１１に示したように各ピン群４，５の各ボトムピン４１，５１が所定距離を押し上げられることによって、ピン群４においてはチェンジピン４２とドライバーピン４３の接触点が外筒２と内筒３間のシャーラインに移動し、ピン群５においてはボトムピン５１とドライバーピン５３の接触点が外筒２と内筒３間のシャーラインに移動する。そのため、外筒２に対する内筒３の回転拘束が解除されて解錠状態となる。
そこで、図１０において内筒３を常用キー８によって時計回り方向に４５度回転させると、内筒３の後端小径軸部３９に装着された止め金板（図示していない）が固定枠体側の受金部（図示していない）から離脱し、扉が開放可能となる。このように内筒３を回転させたとき、外向きフランジ部３１のキー背部通過用溝３１ａは正面側から見て外筒２の第２通し溝２８に重なる位置に来ている。
【００２４】
この段階では、図１８に示したように内筒３のピン孔３５が外筒２のピン孔２３に対面する位置に来ている一方、内筒３のピン孔３６が外筒２のピン孔２５に対面する位置に来ているから、前記解錠操作後に常用キー８を内筒３のキー挿入溝３４から抜き取るとき、ピン群５のボトムピン５１は外筒２のピン孔２３に適宜に出入りし、ピン群４のチェンジピン４２は外筒２のピン孔２５に適宜に出入りする。すなわち、本例の可変式シリンダー錠は、常用キー８は施錠位置と解錠位置の２箇所で抜き差しすることができる。
このように内筒３を施錠位置から解錠位置へと回転させたとき、内筒３のキー挿入溝３４が外筒２の第２通し溝２８に対面する位置に来るが、第２通し溝２８の円周方向の幅寸法は常用キー８の背部８１の板厚よりも狭く形成されているため、常用キー８の背部８１が第２通し溝２８内に落ち込むことがない。
【００２５】
次にキーコードの設定変更を実行する必要が生じたときには、従前の常用キー８によって内筒３を図１８に示した位置に回転させてから、該常用キー８を内筒３のキー挿入溝３４と外筒２の第２通し溝２８及び外向きフランジ部３１のキー背部通過用溝３１ａから引き抜く。常用キー８の引き抜き直後にスプリング４４，５４の作用によって各ピン群４，５のドライバーピン４３，５３が内筒３に向かって押されるため、ドライバーピン４３，５３の一部が内筒３のピン孔３５，３６に入り込み、内筒３が外筒２に対して回転拘束される。
【００２６】内筒３が回転停止した状態において、図２０に示したようにチェンジキー９のガイド溝９３の先端開口を内筒３のガイド突起３８に合わせるとともに、チェンジキー９の背部９１を外向きフランジ部３１のキー背部通過用溝３１ａに合わせて、チェンジキー９を外筒２の第２通し溝２８及び内筒３のキー挿入溝３４に差し込む。
このとき、ガイド突起３８とガイド溝９３の誘導作用によってチェンジキー９は、背部９１が第１通し溝２７の内底面に摺接した状態でキー挿入溝３４に挿入され、挿入過程においてチェンジキー９が内筒３の中心軸線に対して振れたり揺らぐことがなく、一直線状に差し込まれる。そのため、チェンジキー９の先端がボトムピン４１，５１の内端部側面に突き当たって挿入が阻止されることがない。
【００２７】
図１７に示したように外筒２の第２通し溝２８及び内筒３のキー挿入溝３４に対するチェンジキー９の挿入が進行して、チェンジキー９のカム斜面９４が前記カム体７の傾斜カム面７１に突き当たったときには、ガイド突起３８はガイド溝９３の主体部分と傾斜溝部９５の交差部に来ている。この後、チェンジキー９を更に押し込むと、前記カム斜面９４と傾斜カム面７１の誘導作用及びガイド突起３８と傾斜溝部９５の誘導作用によって、チェンジキー９は内筒３の中心軸線と平行に移動して押し上げられる。
この押し上げ動作によってチェンジキー９の背部９１は外筒２の第２通し溝２８から脱出し、腹部９２と背部９１の全断面が内筒３のキー挿入溝３４内に入り込み、腹部９２のキーコード用凹凸部９６，９７が対応するピン群４，５のボトムピン４１，５１を押し上げる。
【００２８】
図１４及び図１５に示したように各ピン群４，５の各ボトムピン４１，５１が所定距離を押し上げられることによって、ピン群４においてはチェンジピン４２とドライバーピン４３の接触点が外筒２と内筒３間のシャーラインに移動し、ピン群５においてはボトムピン５１とドライバーピン５３の接触点が外筒２と内筒３間のシャーラインに移動する。そのため、外筒２に対する内筒３の回転拘束が解除される。図１４において内筒３をチェンジキー９によって反時計回り方向に４５度回転させると、外向きフランジ部３１のキー背部通過用溝３１ａが正面側から見て外筒２の第１通し溝２７に重なる位置に来る。
【００２９】
この段階では、内筒３のピン孔３５が外筒２のピン孔２２に対面する位置に来ている一方、内筒３のピン孔３６が外筒２のピン孔２４に対面する位置に来ているから、チェンジキー９を内筒３のキー挿入溝３４から引き抜くと、チェンジキー９のキーコード設定用凹凸部９６，９７に対応してピン群５のボトムピン５１は外筒２のピン孔２２に適宜に出入りし、ピン群４のチェンジピン４２は外筒２のピン孔２４に適宜に出入りする。
このチェンジキー９の抜き取りの開始直後に、前記カム斜面９４と傾斜カム面７１の誘導作用及びガイド突起３８と傾斜溝部９５の誘導作用によって、チェンジキー９は内筒３の中心軸線と平行に移動して引き下げられ、チェンジキー９の背部９１が外筒２の第１通し溝２７及び外向きフランジ部３１のキー背部通過用溝３１ａに落ち込む。
【００３０】
チェンジキー９が内筒３のキー挿入溝３４及び外筒２の第１通し溝２７並びに外向きフランジ部３１のキー背部通過用溝３１ａから抜き取られたときには、キーコード設定用凹凸部９６，９７に対応して各ピン群４のチェンジピン４２が外筒２のピン孔２４内に移動するか、内筒３のピン孔３６内に移動しており、チェンジピン４２が内筒３側に存在するか、あるいは外筒２側に存在するかによって、シリンダー錠１は新しいキーコードに設定され、そのキーコードを有する別の新しい常用キー８が使用可能となる。
このように動作する本例の可変式シリンダー錠では、解施錠における内筒３の回転域とキーコード設定変更における内筒３の回転域が同じであるため、キーコード設定変更に際して規制円盤や止め金板をその都度着脱する必要がない。
【００３１】
解施錠の実行やキーコードの設定変更における内筒３の回転角度は、上記角度に限定されず、ピン群４，５の列数や配置角度を調整すれば種々変更することができる。また、ガイド溝８３，９３もキー腹部８２，９２の左右両側に形成し、ガイド突起３８を左右一対に設けることもできる。また、解施錠における内筒３の回転域内に、キーコード設定変更における内筒３の回転域を含ませることもできる。
【００３２】
【発明の効果】請求項１の発明の可変式シリンダー錠では、外筒の第１通し溝は常用キーとチェンジキーの各背部が嵌合されるように幅広に設けられている一方、第２通し溝はチェンジキーの背部のみが嵌合されるように幅狭に設けられており、解施錠における内筒の回転域とキーコード設定変更における内筒の回転域が同じであるか、あるいは解施錠における内筒３の回転域内にキーコード設定変更における内筒３の回転域が含まれているため、規制円盤や止め金板をその都度着脱するという余分の手間を必要とせずに、キーコードの設定変更が簡単かつ迅速に行なえる。
【００３３】
請求項２の発明の可変式シリンダー錠では、常用キーとチェンジキーの腹部にはガイド溝が各キーの長さ方向に形成され、内筒のキー挿入溝の入口部には前記ガイド溝の先端側開口から嵌合されるガイド突起が設けられ、内筒のキー挿入溝の奥端部には上向き勾配の傾斜カム面を有するカム体が設けられ、ガイド溝の基端部には下がり勾配の傾斜溝部が前記傾斜カム面と平行に形成されているため、常用キーやチェンジキーの挿入が振れを伴なわずに円滑に行われることになり、キー先端がボトムピンの内端部側面に突き当たって挿入不能となることによって、錠機構の故障と誤認される恐れがなく、作動の安定性に優れている。
【００３４】
請求項３の発明の可変式シリンダー錠では、内筒の前記キー挿入溝の入り口部にはボトムピンの内端部を隠蔽する位置まで延長壁部が形成されており、常用キーとチェンジキーの各基端部にはガイド溝の前記傾斜溝部と平行に延長壁部用の逃げ凹部が形成されているため、キー挿入溝の正面側からのピッキング操作が容易でなく、セキュリティにおいて改善される。
【００３５】
請求項４の発明の可変式シリンダー錠では、内筒の前端部外周に形成した外向きフランジ部によって第２通し溝の前端開口が隠蔽されているため、錠の内部構造を察知され難く、セキュリティが向上する。
【図面の簡単な説明】
【図１】本発明の一例に係る可変式シリンダー錠の正面図であり、施錠状態を示している。
【図２】図１のＡ‐Ａ断面図である。
【図３】図１の可変式シリンダー錠に使用する常用キーの右側面図である。
【図４】図３の常用キーの背面図である。
【図５】図３のＢ−Ｂ線断面図である。
【図６】図１の可変式シリンダー錠に使用するチェンジキーの右側面図である。
【図７】図６のチェンジキーの背面図である。
【図８】図６のＣ−Ｃ線断面図である。
【図９】図１の可変式シリンダー錠に図３の常用キーが挿入された状態における図２に対応した断面図である。
【図１０】図９のＤ−Ｄ線断面図である。
【図１１】図１０のＥ−Ｅ線断面図である。
【図１２】図１の可変式シリンダー錠における内筒中間部の底面図である。
【図１３】図１１のＦ−Ｆ線断面図である。
【図１４】図１の可変式シリンダー錠に図６のチェンジキーが挿入された状態における図２に対応した断面図である。
【図１５】図１４のＧ−Ｇ線断面図である。
【図１６】常用キーが挿入末端域近くまで挿入されたときにおける図１１に対応した断面図である。
【図１７】チェンジキーが挿入末端域近くまで挿入されたときにおける図１５に対応した断面図である。
【図１８】常用キーによって内筒が解錠位置（キーコード変更位置）に回転させられたときにおける図１０に対応した断面図である。
【図１９】キーコード変更位置においてチェンジキーが所要深さまで挿入されたときの図１４に対応した断面図である。
【図２０】チェンジキーを挿入する過程における可変式シリンダー錠の前端部の横断面図である。
【符号の説明】
１    可変式シリンダ錠
２    外筒
３    内筒
４    チェンジピンを含むピン群
５    チェンジピンを含まないピン群
６    孔閉塞板
７    カム体
８    常用キー
９    チェンジキー
１１  止めリング
２０    外筒本体
２１    嵌合孔
２１ａ  前端大径部
２１ｂ  後端大径部
２２    ピン孔
２３    ピン孔
２４    ピン孔
２５    ピン孔
２６    嵌合溝
２７    第１通し溝
２８    第２通し溝
２９    環状フランジ部
３０    内筒本体
３０ａ  延長壁部
３１    外向きフランジ部
３１ａ  キー背部通過用溝
３２    中径軸部
３３    環状溝
３４    キー挿入溝
３５    ピン孔
３６    ピン孔
３７    横孔
３８    ガイド突起
３９    後端小径軸部
４１    ボトムピン
４２    チェンジピン
４３    ドライバーピン
４４    スプリング
５１    ボトムピン
５３    ドライバーピン
５４    スプリング
７１    傾斜カム面
７２    垂直停止面
７３    横断ピン
８１    背部
８２    腹部
８３    ガイド溝
８４    カム斜面
８５    傾斜溝部
８６    キーコード用凹凸部
８７    キーコード用凹凸部
８８    逃げ用凹部
９１    背部
９２    腹部
９３    ガイド溝
９４    カム斜面
９５    傾斜溝部
９６    キーコード用凹凸部
９７    キーコード用凹凸部
【図１】
2004232299.tif 000003
【図２】
2004232299.tif 000004
【図３】
2004232299.tif 000005
【図４】
2004232299.tif 000006
【図５】
2004232299.tif 000007
【図６】
2004232299.tif 000008
【図７】
2004232299.tif 000009
【図８】
2004232299.tif 000010
【図９】
2004232299.tif 000011
【図１０】
2004232299.tif 000012
【図１１】
2004232299.tif 000013
【図１２】
2004232299.tif 000014
【図１３】
2004232299.tif 000015
【図１４】
2004232299.tif 000016
【図１５】
2004232299.tif 000017
【図１６】
2004232299.tif 000018
【図１７】
2004232299.tif 000019
【図１８】
2004232299.tif 000020
【図１９】
2004232299.tif 000021
【図２０】
2004232299.tif 000022